(57)【特許請求の範囲】
【請求項１】
吸込口と吹出口を有し、内部に熱交換器と貫流ファンを収めた室内機本体と、
この室内機本体の前面側に取り付けられ、正面視で略矩形状を成すとともに、前記室内機本体の上部を回動中心として上下方向に回動して開閉自在な正面意匠パネルと、
この正面意匠パネルの背面に設置され、開いた状態の前記正面意匠パネルと前記室内機本体との間に介在して、前記正面意匠パネルを所定の開き角度で開いた状態に保持する保持アームと、
この保持アームの一端に接続されたアーム回動軸と、を備え、
前記正面意匠パネルが閉じているときには前記正面意匠パネルの背面と前記室内機本体との間に横倒しされて収められている前記保持アームが、前記正面意匠パネルに対して略直角に起立して、この起立状態にある前記保持アームの他端が前記室内機本体の前面側に当接することで、前記正面意匠パネルが所定の開き角度で開いた状態に保持されるものであって、
前記保持アームは、横倒しされている状態から前記アーム回動軸を回動中心として、前記正面意匠パネルの長手方向である左右方向に回動されて起立することを特徴とする空気調和機の室内機。
【請求項２】
前記アーム回動軸が、その軸方向を前記正面意匠パネルの上下方向におおよそ沿わせて設置されていることを特徴とする請求項１に記載の空気調和機の室内機。
【請求項３】
前記保持アームは、少なくとも前記正面意匠パネルが閉じているときには、前記正面意匠パネルの背面上に、その長手方向を前記正面意匠パネルの長手方向である左右方向におおよそ沿わせて横倒しされていることを特徴とする請求項１または２に記載の空気調和機の室内機。
【請求項４】
前記正面意匠パネルの背面の左右両側にそれぞれ前記保持アームが離れて設置され、当該室内機を正面から見て右側に位置する保持アームは右方向に、左側に位置する保持アームは左方向に回動されて起立することを特徴とする請求項１乃至３のいずれかに記載の空気調和機の室内機。
【請求項５】
前記正面意匠パネルの背面と前記室内機本体との間に横倒しされて収められている状態における前記保持アームの前記室内機本体の方向を向く面である本体対向面上の前記アーム回動軸の近傍に突設され、先端におおよそ前記アーム回動軸の方向に突き出た鉤状部を有したアーム突起と、
前記アーム回動軸に左右方向に隣接した位置で、前記正面意匠パネルの背面上に立設されたアーム支え壁と、を備え、
前記保持アームが起立状態にあるときには、前記アーム突起の鉤状部が前記アーム支え壁に引っ掛かって、前記保持アームは、横倒しされていた方向への戻り回動が制限されることを特徴とする請求項１乃至４のいずれかに記載の空気調和機の室内機。
【請求項６】
前記保持アームが起立状態にあるときには、前記保持アームの本体対向面が前記アーム支え壁に接触し、前記保持アームは、起立状態を越える回動が制限されることを特徴とする請求項５に記載の空気調和機の室内機。
【請求項７】
前記保持アームは板状であって、その板厚方向に貫通する係止孔と、
前記正面意匠パネルの背面に突設され、先端に鉤状部が形成されたアーム係止突起と、を備え、
前記保持アームが前記正面意匠パネルの背面上に横倒しされているときに、前記アーム係止突起の鉤状部が、前記係止孔の開口縁に引っ掛かって、前記保持アームの回動が制限され横倒し状態が維持されることを特徴とする請求項１乃至６のいずれかに記載の空気調和機の室内機。
【請求項８】
前記係止孔は略矩形状であって、
前記係止孔の対向する内側面間を跨ぐように形成され、前記本体対向面上に突出する把手を備えたことを特徴とする請求項７に記載の空気調和機の室内機。
【発明の詳細な説明】
【技術分野】
【０００１】
この発明は、空気調和機の室内機に関し、特に、室内機本体の前面側に、上下方向に回動して開閉自在に設置される正面意匠パネルを開いた状態に保持する保持構造に関するものである。
【背景技術】
【０００２】
室外機と室内機とを有するセパレート型の空気調和機の室内機にあって、空調する部屋の壁面上部に設置される壁掛けタイプの室内機は、壁面寄りに位置する箱状の背面ケースおよびその前方に位置する枠状の前面枠とから成る筐体の内部に、熱交換器や貫流ファンなどが収納された室内機本体と、この室内機本体の前面側（正面側）に、上記の前面枠の前面開口を覆うように設置された正面意匠パネルとを備える。
【０００３】
正面意匠パネルは、その正面が室内に臨んで当該室内機の外観意匠に大きく貢献するとともに、背面（室内機本体側に対向する面）の左右両端近傍のそれぞれの上部に回動軸を有し、これら２つの回動軸が室内機本体の前面枠の前面上部に形成された軸受部にそれぞれ回動支持され、ここを回動中心として、上下方向に回動し開閉可能となっている。
【０００４】
また、その背面の下部には、左右方向に間隔を空けて複数のパネル係止突起が突設されており、これらが、前面枠の前面下部に形成された係止ツメに掛り止めして、正面意匠パネルの閉じた状態を安定的に維持している。ユーザが正面意匠パネルを開ける際には、正面意匠パネルの下部を手前側に移動させるようにして、パネル係止突起を係止ツメから外してそのまま連続的に上方へと回動させる。
【０００５】
室内機本体には、室内空気の吸込口と熱交換器との間に、吸い込んだ室内空気に含まれる塵埃を捕捉するフィルターが着脱自在に装備されており、ユーザが正面意匠パネルを開けるのは、例えば、このフィルターを清掃（付着している塵埃を除去）するために着脱するときなどがある。近年ではフィルター自動清掃機構が搭載されている室内機があるが、自動清掃機構がフィルターから除去した塵埃をダストボックスに溜めるタイプであれば、このダストボックスに溜まった塵埃を廃棄するためのダストボックスの着脱時に、正面意匠パネルを開ける必要が生じる。また、室内機本体の例えば前面枠の表面などを拭き掃除したい場合や内部目視点検をしたい場合などにも、正面意匠パネルを開ける必要が生じる。
【０００６】
このようなユーザが正面意匠パネルを開けて行う室内機本体のメンテナンス作業を、正面意匠パネルが閉じないように開いた状態を片手で支えながら、もう片方の手だけで実施しようとしたら、作業がやりにくかったり、場合によっては作業ができなかったりすることも起こり得る。そのため、ユーザが上記のようなメンテナンス作業を、両手を使って確実に実施できるように、正面意匠パネルを開いた状態に保持できる保持構造が必要となってくる。
【０００７】
このように正面意匠パネルを開いた状態に保持する保持機構として、従来の空気調和機の室内機では、正面意匠パネルが閉じている状態で室内機本体側に向かって突出する突起片を、正面意匠パネル左右両端近傍の背面にそれぞれ形成し、一方で室内機本体側には、この室内機本体の奥行き方向に伸びるとももに、その途中に奥行き側の方が上方に位置するような段差を備えた保持片を、上記した突起片に対向ように形成し、ユーザが正面意匠パネルを、その上部を支点として上方に回動させて開けると、パネル側の突起片の先端が、本体側の保持片を下方に弾性変形させながら奥側から手前の段差に向かってスライドし、段差に掛かることで、正面意匠パネルの開いた状態を保持するものがある。（例えば、特許文献１参照）
【０００８】
また、正面意匠パネルの左右方向における側壁の内側下部に回動自在に軸支され、ねじりコイルばねにより室内機本体側に附勢される係止アームを有し、一方で室内機本体側には、上記の係止アームの先端部で左右方向に突出するように形成された係止端を、上下方向に案内するためのガイド部と、このガイド部の下端にて上記の係止端が掛かり止めするストッパ部とを形成し、ユーザが正面意匠パネルを開けようとして閉じた状態を保持しているツメ固定を解除すると、ねじりコイルばねのばね力（弾性力）により係止アームが附勢され、係止端が本体側のガイド部に沿って下降しストッパ部に掛かって止まり、本体側にばね力で押し付けられている係止アームの下降に伴って、正面意匠パネルが上部を支点に回動して開き、係止アームの係止端の掛かり止めにより、その位置で正面意匠パネルの開いた状態が保持されるものがある。（例えば、特許文献２参照）
【０００９】
また、室内機本体側である前面枠の左右方向の端部に、上下方向に回動自在に軸支されたパネル保持アームを収め、正面意匠パネルを上部を支点に回動させて開けた時には、この本体側に装着されているパネル保持アームを下向きの状態から上方へと回動させ、そのパネル保持アームの先端を正面意匠パネルの背面に掛り止めさせて、正面意匠パネルを開いた状態に保持するものがある。（例えば、特許文献３参照）
【先行技術文献】
【特許文献】
【００１０】
【特許文献１】特開平２−２６３０２２号公報（５〜７頁、第１〜４図）
【特許文献２】特開平１−１０６８２４号公報（４〜６頁、第１〜３図）
【特許文献３】特開２００９−９７７６２号公報（００１５〜００２５欄、図８〜１４）
【発明の概要】
【発明が解決しようとする課題】
【００１１】
特許文献１に記載される従来の正面意匠パネルを開いた状態に保持する保持構造では、開いた状態の正面意匠パネルを支持する突起片が、予め正面意匠パネルの背面から突き出た状態で設けられており、正面意匠パネルが閉じている時には、突出片は室内機本体の奥行き方向に伸びて、室内機本体の筐体である前面枠に収まるように構成されている。そのため、その突出片の長さを室内機本体の奥行き幅よりも短くしなければならないという制約が生じてしまい、突起片の長さを十分に長く形成することができなくなる。よって、開いた状態に保持するときの正面意匠パネルの開き角度（閉じた状態からの回動角度に相当）を大きくすることができず、ユーザが上記したような室内機本体のメンテナンス作業を行う際に、作業がやりにくいという課題があった。
【００１２】
また、特許文献２に記載の正面意匠パネルを開いた状態に保持する保持構造では、開いた状態の正面意匠パネルを支持する係止アームが、正面意匠パネルの左右側壁の内向面下部に回動自在に軸支されていて、正面意匠パネルが閉じている時には、係止アームは上下方向に伸びて、正面意匠パネルの左右側壁にほぼ沿って収まるように構成されているので、係止アームの長さを正面意匠パネルの上下方向幅（高さ）よりも短くしなければならず、係止アームの長さが制限され、上記と同様に、係止アームの長さが十分でないために、開いた状態に保持するときの正面意匠パネルの開き角度を大きくできず、室内機本体のメンテナンス作業がやりにくいという課題があった。
【００１３】
さらに、正面意匠パネルが閉じている時に、係止アームを正面意匠パネルの左右側壁に上下方向にほぼ沿わして収めるためには、係止アームの幅（側壁にほぼ沿った状態における室内機本体の奥行き方向となる方向の幅）を正面意匠パネルの左右側壁の奥行き幅より短くしなければならないので、室内機が大形で、例えば正面意匠パネルが左右方向に長い場合など、正面意匠パネルの重量が大きい場合では、仮に室内機本体の左右方向両端部の２ヶ所で係止アームにより正面意匠パネルを支持してそれが開いた状態を保持しようとしても、係止アームの剛性が十分でなく、開いた状態の正面意匠パネルの安定した保持を確保できないという課題があった。
【００１４】
また、特許文献３に記載の正面意匠パネルを開いた状態に保持する保持構造では、保持アームの軸支位置を室内機本体の上部に配置すれば、正面意匠パネルを大きな開き角度で開いた状態に保持することも構成上は可能であるが、正面意匠パネルが閉じている時には、パネル保持アームを前面枠の前面に上下方向に伸ばして収めるため、前面枠の前面にはこのパネル保持アームを収めるためのスペースが必要となる。しかし、このスペース確保のために前面枠を左右方向に長くして室内機本体を大形化することは得策ではない。ましてや、室内機本体の左右両端の２ヶ所でパネル保持アームによる開いた状態の正面意匠パネルの支持を行おうとすれば、パネル保持アームを収めるためのスペースを前面枠の左右両側にそれぞれ形成しなければならなくなる。室内機本体の左右方向長さを大きくせずに、左右２つのパネル保持アームを収めるスペースを確保するためには、パネル保持アームの左右方向幅をできるだけ短くしなければならない。そのため、室内機が大形で、例えば正面意匠パネルが左右方向に長い場合など、正面意匠パネルの重量が大きい場合では、パネル保持アームにより開いた状態の正面意匠パネルを支持してその状態を保持しようとしても、パネル保持アームの剛性が十分でなく、正面意匠パネルの開いた状態の保持が安定的でないという課題があった。
【００１５】
この発明は、上記のような課題を解決するためになされたもので、正面意匠パネルを大きな開き角度で開いた状態に安定して保持でき、ユーザがフィルターの着脱や清掃などといった室内機本体のメンテナンス作業を行い易い空気調和機の室内機を提供することを目的とする。
【課題を解決するための手段】
【００１６】
この発明に係る空気調和機の室内機は、吸込口と吹出口を有し、内部に熱交換器と貫流ファンを収めた室内機本体と、この室内機本体の前面側に取り付けられ、正面視で略矩形状を成すとともに、室内機本体の上部を回動中心として上下方向に回動して開閉自在な正面意匠パネルと、この正面意匠パネルの背面に設置され、開いた状態の正面意匠パネルと室内機本体との間に介在して、正面意匠パネルを所定の開き角度で開いた状態に保持する保持アームと、この保持アームの一端に接続されたアーム回動軸と、を備え、正面意匠パネルが閉じているときには正面意匠パネルの背面と室内機本体との間に横倒しされて収められている保持アームが、正面意匠パネルに対して略直角に起立して、この起立状態にある保持アームの他端が室内機本体の前面側に当接することで、正面意匠パネルが所定の開き角度で開いた状態に保持されるものであって、保持アームは、横倒しされている状態からアーム回動軸を回動中心として、正面意匠パネルの長手方向である左右方向に回動されて起立するものである。
【発明の効果】
【００１７】
この発明によれば、正面意匠パネルを大きな開き角度で開いた状態に安定的に保持でき、ユーザが室内機本体のメンテナンス作業を行う際に、その作業性が良好となる空気調和機の室内機を得ることができる。
【図面の簡単な説明】
【００１８】
【図１】この発明の実施の形態１における室内機の分解斜視図である。
【図２】図１の室内機の正面意匠パネルを開けたときの斜視図である。
【図３】図１の室内機の縦断面図（正面意匠パネルが閉鎖状態）である。
【図４】図２の状態にある室内機の側面図である。
【図５】図１の室内機における正面意匠パネルの回動軸を示す斜視図である。
【図６】図１の室内機における正面意匠パネルの係止突起を示す斜視図である。
【図７】図１の室内機の正面意匠パネルを背面側から見た斜視図である。
【図８】図１の室内機における正面意匠パネルの背面図である。
【図９】図１の室内機における保持アームの斜視図である。
【図１０】図７の正面意匠パネルの保持アームが装着される前の状態の斜視図である。
【図１１】図１０の要部拡大斜視図である。
【図１２】図１の室内機における保持アームが横倒し状態にあるときの斜視図である。
【図１３】図１２の状態における保持アームの係止孔近傍を示す要部拡大斜視図である。
【図１４】図１の室内機における保持アームが起立状態にあるときの斜視図である。
【図１５】図１４の要部拡大斜視図である。
【図１６】図７の正面意匠パネルの保持アームが起立した状態の斜視図である。
【図１７】図１の室内機の右側に位置するアーム受け部の斜視図である。
【図１８】図１の室内機の左側に位置するアーム受け部の斜視図である。
【図１９】図１７のアーム受け部に保持アームを当接させた状態の斜視図である。
【図２０】図１８のアーム受け部に保持アームを当接させた状態の斜視図である。
【図２１】図１の室内機が保持アームにより正面意匠パネルの開放状態を保持されている状態の斜視図である。
【図２２】図１の室内機が保持アームにより正面意匠パネルの開放状態を保持されている状態の側面図である。
【発明を実施するための形態】
【００１９】
実施の形態１．
図１は、この実施の形態１を示す空気調和機の室内機１の分解斜視図であり、図２は、図１に示す室内機１の正面意匠パネル１０を開いたときの斜視図である。そして、図３は、図１の室内機１の縦断面図であり、図４は、図２に示す状態の室内機１の側面図である。この室内機１は、壁掛けタイプであり、空調する部屋の壁面の天井に近い上部に設置されるもので、図１〜４に示されるように、室内機本体５０と、その本体５０の前面側に取り付けられ、室内機本体５０の上部を回動中心として上下方向に回動し開閉自在である正面意匠パネル１０とを備えている。室内機１は、屋外に配置される室外機（図示なし）と冷媒配管で接続されていて冷凍サイクル回路が構成される。
【００２０】
正面意匠パネル１０は、通常は図３に示すように閉じており、その閉じた状態において、正面部分に位置する正面パネル部１０ａが室内に臨んで、この室内機１の外観意匠に大きく貢献する。室内機本体５０は、図１〜３に示すように、その筐体として、壁面側に位置する背面ケース５２と、その背面ケース５２の前方に位置する前面枠５１とを備える。そして、上下方向に正面側に凸となるような曲面形状を成す正面パネル部１０ａを有する正面意匠パネル１０は、前面枠５１の前面に取り付けられる。背面ケース５２は、その正面側に貫流ファン２や、その貫流ファン２を囲うように配置される熱交換器３を保持している。
【００２１】
背面ケース５２の前方（正面側）に背面ケース５２と接して位置する前面枠５１は、枠体であり、背面ケース５２から前方に突出している上記の貫流ファン２や熱交換器３を内部に収めている。そして、前面枠５１の下部には、室内機本体５０の左右方向に長く伸びる吹出口５３（図３参照）が形成されている。吹出口５３には、吹出空気の風向を上下方向に調整する上下風向調整板４が設置されていて、室内機１の運転停止時には、前後２枚の上下風向調整板４により、吹出口５３が塞がれる。
【００２２】
また、前面枠５１と背面ケース５２の上面には格子状に形成された室内空気の吸込口５４が設けられている（図１参照）。前面枠５１の前面も、中央のメイン縦桟５６の左右両側に、強度確保のためのいくつかの桟を有して開口５５が形成されており、上面の吸込口５４から吸い込まれた室内空気は、この前面の開口５５からも本体５０の内部へと流れ込む。
【００２３】
室内機本体５０の右側端部には、この室内機１の制御基板等を有する電気品収納部６（図1、２参照）が位置する。電気品収納部６も筐体内に収まっている。ここで本明細書において、左右方向に細長い形状を呈する室内機１の左右方向については、室内機１を正面から見た状態、すなわち正面視で右方向を右側、左方向を左側と定義する。
【００２４】
前面枠５１の前面には、左右方向の両端近傍と中央上部の３ヶ所に、正面意匠パネル１０の背面上部のパネル回動軸１２を回動自在に支持する軸受部５７が設けられている。中央部の軸受部５７は、メイン縦桟５６の上部に形成されていて、右側に位置する軸受部５７は、電気品収納部６の上方に形成されている。
【００２５】
また、前面枠５１の前面下部には、左右方向の両端近傍と、それらの間で左右方向に距離を空けた２ヶ所の計４ヶ所に、正面意匠パネル１０の背面下部に形成されたパネル係止突起１３（図７参照）を受け止めて、これを保持する係止ツメ５８が設けられている。最も右側に位置する係止ツメ５８は、電気品収納部６の下方に形成されている。
【００２６】
図５は、正面意匠パネル１０の背面側上部に設けられたパネル回動軸１２を示す斜視図、図６は同じく正面意匠パネル１０の背面側下部に設けられたパネル係止突起１３を示す斜視図である。図５に示すパネル回動軸１２は、正面意匠パネル１０の中央部に設けられるものであるが、ここに図示されるように、パネル回動軸１２は、正面意匠パネル１０の背面上部に立設された軸アーム１１の先端部に左右方向に突き出て形成される。軸アーム１１は、正面意匠パネル１０が閉じた状態において、正面パネル部１０ａの背面から室内機本体５０の方向へ突出し、途中で上方へと向きを変える略Ｌ字状を成し、その先端部分に左右方向に伸びる円筒状のパネル回動軸１２が設けられている。
【００２７】
また、図６に示すように、正面意匠パネル１０の背面下部に形成されたパネル係止突起１３は、正面意匠パネル１０が閉じた状態において、正面パネル部１０ａの背面から室内機本体５０の方向へ突き出ており、その先端部１３ａは菱形形状となっている。一方、このパネル係止突起１３を受け止める前面枠５１の係止ツメ５８は、そのパネル係止突起１３の菱形形状の先端部１３ａを上下両側から挟み込む上下２枚の板状片を有し（図１７、１８参照）、それぞれの板状片の先端に互いに向き合うように形成されている鉤状部で、パネル係止突起１３の菱形形状の先端部１３ａを引っ掛けてパネル係止突起１３を保持する。
【００２８】
正面意匠パネル１０の背面におけるパネル係止突起１３の位置は、説明を後述する図７に示されるように、正面パネル部１０ａの背面下部である。なお、パネル係止突起１３の菱形形状の先端部１３ａは、上下方向（鉛直方向）に菱形形状を呈しているが、左右方向（水平方向）に菱形形状を成すように形成してもよく、その際には、係止ツメ５８の板状片は、左右両側からパネル係止突起１３の先端部１３ａを挟み込むように左右方向に向き合うように設置することになる。
【００２９】
図３に示すように、室内機本体５０は、縦断面の中央やや下寄りに貫流ファン２を備え、その貫流ファン２の前方と上方を囲うように、逆Ｖ字形状に熱交換器３が配置されている。そして、筐体上面の吸込口５４より下流側で熱交換器３の上流側に、着脱自在なフィルター５が配置される。フィルター５は、室内機本体５０の前面側においては、前面枠５１前面の開口５５の前方に位置し、熱交換器３をその前方と上方とで覆うように、コーナー部が緩やかにカーブした逆Ｌ字状を呈して取り付けられている。なお、図１、２に示す室内機本体５０においては、フィルター５の図示は省略している。
【００３０】
貫流ファン２の回転により、筐体（前面枠５１と背面ケース５２）上面の吸込口５４から室内空気が、室内機本体５０の内部へと吸い込まれる。室内空気は上方からそのまま下向きに内部へと吸い込まれるものもあれば、前面の開口５５を経由して吸い込まれるものもある。室内空気は、室内機本体５０の内部に吸い込まれる過程でフィルター５を通過し、その際に室内空気といっしょに吸い込まれた室内に漂っていた塵埃が、フィルター５によって捕捉される。よって、熱交換器３には、塵埃が除去された室内空気が届けられる。
【００３１】
フィルター５を通過した室内空気は、続いて熱交換器３を通過するが、その過程で、冷凍サイクル回路を循環する冷媒と熱交換し、冷房運転であれば冷やされ、暖房運転であれば暖められて調和空気となり、吹出口５３から室内へと吹き出される。これにより室内の空気調和が行われる。吹出口５３から吹き出される調和空気の気流は、図示しない左右風向調整板にて左右方向に、上下風向調整板４により上下方向に調整される。なお、室内機１の運転が停止されると、上下風向調整板４は吹出口５３を塞ぐような位置まで回動して停止し、室内機本体５０の内部が吹出口５３を通してはっきりと見えてしまうことを防いでいる。
【００３２】
正面意匠パネル１０が閉じた状態では、パネル係止突起１３の菱形形状の先端部１３ａが、室内機本体５０側の係止ツメ５８に引っ掛かって保持されているので、正面意匠パネル１０が室内機本体５０に対して浮き上がることはなく、閉じた状態を安定的に維持される。以降、本明細書において、正面意匠パネル１０が閉じた状態のことを閉鎖状態と表現する場合がある。正面意匠パネル１０の閉鎖状態とは、正面意匠パネル１０が閉じた状態のことを意味するものである。同様に、正面意匠パネル１０を閉じることを閉鎖すると表現する場合がある。図３の縦断面図は、正面意匠パネル１０の閉鎖状態を示している。
【００３３】
ユーザが正面意匠パネル１０を開ける場合、正面意匠パネル１０の下端や側壁１０ｂの下部に指を掛け、正面意匠パネル１０の下部を手前側に引き寄せれば、パネル係止突起１３の菱形形状の先端部１３ａが前方に移動し、その際に係止ツメ５８を上下両側に広げるように弾性変形させ、係止ツメ５８の引っ掛かりを外し、係止ツメ５８による保持を解除する。
【００３４】
係止ツメ５８からパネル係止突起１３を外した後は、そのまま正面意匠パネル１０の下部を手前側へと引き上げるように移動させれば、正面意匠パネル１０は、室内機本体５０の上部で、軸受部５７に回転摺動を支持されたパネル回動軸１２を中心として上方へと回動し、正面意匠パネル１０が開いた状態となる。図２が、正面意匠パネル１０が開いた状態の斜視図、図４が、正面意匠パネル１０が開いた状態の側面図であり、図２、４に示すように、正面意匠パネル１０を開くことにより、室内機本体５０の前面を室内に露出させることができる。
【００３５】
再び、正面意匠パネル１０を閉じた状態にする場合には、開いた正面意匠パネル１０の下部を室内機本体５０側へ押し下げるように移動させれば、室内機本体５０上部に位置しているパネル回動軸１２を中心に下方へと回動し、パネル係止突起１３の菱形形状の先端部１３ａが奥側へ移動する際に係止ツメ５８を上下両側に広げるように弾性変形させ、係止ツメ５８内に進入し、係止ツメ５８に再び引っ掛けられて保持され、安定的な閉鎖状態へと移行する。このときに、パネル係止突起１３が挟み込まれる際の係止ツメ５８の弾性変形が、パネル係止突起１３から側壁１０ｂ等を介してユーザに手応えとして感じられるので、係止ツメ５８による保持がなされたこと、すなわち正面意匠パネル１０を閉じる作業が無事に完了したことをユーザはこの手応えによって認識することができる。
【００３６】
なお、正面意匠パネル１０の背面には、パネル係止突起１３の左右どちらか一方の横側に並んで、四角錐状のガイド突起１４（図６参照）が形成されており、正面意匠パネル１０を閉じる際には、これらガイド突起１４が、前面枠５１の下部で係止ツメ５８の横隣りに形成されているガイド溝５９（図１７、１８参照）に案内されながら入り込み、そこに収まることで、室内機本体５０に対する閉鎖状態の正面意匠パネル１０の位置が上下方向、左右方向ともに微調整される。
【００３７】
この室内機１は、冷房や暖房の能力が大きい（例えば８．０ｋＷの）大形機であり、正面意匠パネル１０の左右方向幅（長手方向幅）が大きく重量も大であるため、正面意匠パネル１０の開閉時に、正面意匠パネル１０の自重によるたわみを防止してスムーズな開閉動作が得られるように、左右方向両端近傍だけでなく中央部にもパネル回動軸１２と軸受部５７の嵌合箇所を設けて正面意匠パネル１０の回動を支持させているが、正面意匠パネル１０の大きさや重量によっては、中央部の回動支持を省き、左右両端近傍の２ヶ所だけで支持するなど、回動支持点の数は正面意匠パネルの大きさや重量に応じて増減させてよい。
【００３８】
同様に、正面意匠パネル１０の閉鎖時に、正面意匠パネル１０下部の浮き上がりを防止し安定した閉鎖状態を維持するパネル係止突起１３と係止ツメ５８の掛り止めも、正面意匠パネル１０の大きさや重量によっては、左右両端近傍の２ヶ所だけであったり、それに中央部１ヶ所を加えた３ヶ所としたりなどその数を増減させてよい。
【００３９】
これより、この実施の形態１が示す室内機１の特徴的な構成である、正面意匠パネル１０を所定の大きな開き角度で開いた状態に保持する保持構造について説明する。なお、本明細書において、正面意匠パネル１０が開いた状態のことを解放状態と表現する場合がある。正面意匠パネル１０の開放状態とは、正面意匠パネル１０が開いた状態のことを意味するものである。同様に、正面意匠パネル１０を開けることを開放すると表現する場合がある。
【００４０】
この室内機１においても、正面意匠パネル１０の開放状態を保持するために、正面意匠パネル１０と室内機本体５０との間に板状の保持アーム３０を介在させ、開かれた正面意匠パネル１０を室内機本体５０に対して保持アーム３０で支えてその開放状態を保持する保持構造となっている。
【００４１】
ただし、この室内機１では、正面意匠パネル１０の開放状態を保持するにあたって、正面意匠パネル１０の背面上に横倒しされて収まっている板状の保持アーム３０を左右方向に回動させて起き上がらせる点、また、正面意匠パネル１０の開放状態を保持する必要がないときは、板状の保持アーム３０を、その長手方向を正面意匠パネル１０の長手方向である左右方向におおよそ沿わせて正面意匠パネル１０の背面上に横倒しして収めている点が特徴的であり、以下に詳細に説明する。
【００４２】
図７は、正面意匠パネル１０を背面（室内機本体５０に向き合う面）側から見た斜視図であり、図８は、正面意匠パネル１０の背面図である。両図に示すように、正面意匠パネル１０背面の左右方向の両端近傍それぞれに、保持アーム３０を設置している。図７、図８には、正面意匠パネル１０の開放状態を保持する必要がないときの正面意匠パネル１０の背面上に横倒しされて収まっている状態での保持アーム３０が示されている。また、図９は、保持アーム３０の単体斜視図である。
【００４３】
保持アーム３０は、正面意匠パネル１０とは別体に成形される樹脂部品であり、図示されるように、おおよそ直角三角形状の板状部材であり、その直角三角形は、直角に隣接する２つの辺（隣辺）の一方が他方より長い長辺で、他方が短辺となる形状を呈しており、その短辺に位置する短辺部３０ａが室内機１の上下方向に沿い、長辺に位置する長辺部３０ｂが室内機１の長手方向である左右方向に沿うように、正面パネル部１０ａの背面上に寝かされている（横倒しされている）。そして、その状態において、直角三角形の斜辺に位置する斜辺部３０ｃが、長辺部３０ｂより上方に位置している。なお、室内機１が室内の壁に設置された場合、室内機１の上下方向は重力方向である。
【００４４】
斜辺部３０ｃと長辺部３０ｂとが交わる部分には、曲面形状の曲面状先端部３０ｄが形成されている。保持アーム３０が図７に示すように横倒し状態にあるときは、左右方向両側にそれぞれ配置される２つ保持アーム３０は、互いの曲面状先端部３０ｄを向き合うようにして正面意匠パネル１０の背面上に収まっている。図３は、正面意匠パネル１０が閉じた状態の室内機１の縦断面図であるので、保持アーム３０が正面パネル部１０ａの背面上に寝かされており、保持アーム３０は、正面意匠パネル１０背面上で、正面意匠パネル１０背面と室内機本体５０前面の間に収まっている。
【００４５】
この保持アーム３０は直角三角形状であるが、その長辺部３０ｂが伸びる方向を保持アーム３０の長手方向として、保持アーム３０は、その長手方向を正面意匠パネル１０の長手方向である左右方向に沿わせて、正面パネル部１０ａの背面上に横倒しされている。保持アーム３０の長手方向と、それを収めている正面視で矩形状の正面意匠パネル１０の長手方向とを概ね合致させているのである。
【００４６】
このように、保持アーム３０による正面意匠パネル１０の開放状態保持を行わない場合に、保持アーム３０を左右方向に長い細長形状の正面意匠パネル１０の左右方向にその長手方向をおおよそ沿わせて横倒し状態にして、正面意匠パネル１０背面上の空間に収めるようにしているので、保持アーム３０の長手方向の長さを、十分に長くすることができる。そのように長くできる収納スペースが確保できる。これによる作用効果については後述する。
【００４７】
図９は、室内機１の右側に位置する保持アーム３０を示しているが、図示するように、保持アーム３０の一端である短辺部３０ａには、ジョイント片３１を介して円筒状のアーム回動軸３２が、短辺部３０ａと平行に上下方向に伸びて接続されている。アーム回動軸３２の軸方向となる上下方向の長さは、ジョイント片３１の上下方向の長さよりも長く、アーム回動軸３２の上端部と下端部は、それぞれ上下方向に所定の長さだけジョイント片３１との接続部位がなく、独立した円筒形状を有している。このように、保持アーム３０は、一端にアーム回動軸３２が接続し、他端には曲面状先端部３０ｄが形成されている。
【００４８】
また、保持アーム３０が、図７に示すように正面パネル部１０ａの背面上に横倒しされている状態において、室内機本体５０の方向を向く面（正面意匠パネル１０と対向する面の反対側の面）上には、ユーザが掴むことが可能な把手３３がその面から浮き上がるように突出して形成されている。この把手３３は、短辺部３０ａよりも曲面状先端部３０ｄに近い位置に設けられる。さらに、把手３３の下側では、板状の保持アーム３０の板厚方向に貫通した略矩形状の穴である係止孔３４が設けられている。
【００４９】
なお、以降、保持アーム３０が正面パネル部１０ａの背面上に横倒しされ、正面意匠パネル１０が閉じた状態のときに、保持アーム３０の室内機本体５０の方向を向く面を、本体対向面と呼ぶものとする。そして、その本体対向面の反対側の面となる面を、パネル対向面と呼ぶものとする。把手３３は、本体対向面上に突出している。そして、把手３３は矩形状の係止孔３４の対向する２つの内側面間を跨ぐように形成されている。この保持アーム３０では、把手３３は、係止孔３４の長手方向に向き合う内側面間に跨っているが、長手方向に直交する方向の内側面間に跨って形成されていてもよい。ただし、長手方向にまたがった方が、把手３３の長さを長くでき、ユーザが掴み易いというメリットがある。
【００５０】
また、アーム回動軸３２近傍の保持アーム３０の本体対向面上、言い換えると、短辺部３０ａの近傍の本体対向面上には、先端が鉤状になってその面から突出するアーム突起３５が形成されている。そしてこのアーム突起３５の先端の鉤状部３５ａは、おおよそアーム回動軸３２の方向に突き出ている。なお、アーム突起３５は、短辺部３０ａの近傍であれば、保持アーム３０の本体対向面上でなく、ジョイント片３１の同じ側の面上から突出させてもよく、両者に跨って形成してもよい。
【００５１】
なおここで、この保持アーム３０は、おおよそ直角三角形状を呈しているが、その形状は、細長形状であれば、二等辺三角形など他の三角形状であってもよく、三角形ではなく矩形状や台形状といった四角形状であってもよい。いずれの細長形状の保持アームであっても、その細長形状の長手方向の一端にアーム回動軸３２を接続し、他端には曲面状に形成した曲面状先端部３０ｄを設ける。そして、その長手方向を正面意匠パネル１０の長手方向におおよそ沿わせように横倒しして、正面意匠パネル１０背面上の空間に収めるようにする。
【００５２】
ここで、保持アームの長手方向とは、その保持アームの細長形状が長く伸びる方向を指すもので、保持アーム３０のように、直角三角形状であれば、長い方の隣辺が伸びる方向であり、二等辺三角形（ただし直角二等辺三角形は除く）や他の三角形であれば、アーム回動軸３２に接続する端面を底辺として、その底辺の中心と、その底辺上には位置しない頂点とを結ぶ線分が伸びる方向である。また、矩形状であればその長辺方向が長手方向であり、台形状であれば、互いに平行となる対辺の一方（上底か下底）となる端面にアーム回動軸３２を接続し、上底および下底に直交する方向が長手方向である。
【００５３】
なお、この実施の形態では、保持アーム３０、ジョイント片３１、アーム回動軸３２、把手３３、係止孔３４、アーム突起３５は、一体的に樹脂成形されている。また、図９に示す室内機１の右側に位置する保持アーム３０を用いて説明したが、室内機１の左側に位置する保持アーム３０も、長手方向の向きが１８０度異なるだけで、右側に位置する保持アーム３０と同様な構成である。
【００５４】
続いて、保持アーム３０が図７、図８に示されるような横倒しされた状態を安定的に保つための正面意匠パネル１０側に形成された支承構造と、それらによる保持アーム３０の支持作用について説明する。図１０は、正面意匠パネル１０とは別体の保持アーム３０が取り付けられる前の状態の正面意匠パネル１０を背面側から見た斜視図で、図７から保持アーム３０を除去した図である。また、図１１は、正面意匠パネル１０背面に設けられた保持アーム３０を安定的に支える支承構造の斜視図であり、図１０の要部拡大斜視図である。この図１１は、室内機１の右側に位置する保持アーム３０を支える方の支承構造を示している。
【００５５】
正面パネル部１０ａの背面上に横倒しされている保持アーム３０を支え、その状態を安定的に保つための支承構造として、正面パネル部１０ａの背面には、保持アーム３０に接続するアーム回動軸３２を載置しその回動を支持するアーム軸支承台２０、保持アーム３０をその長手方向に所定の間隔空けて載置する第１載置片１５と第２載置片１６、およびこれら２つの載置片１５、１６の間に設けられ、保持アーム３０の係止孔３４を本体対向面側へと通り抜け、本体対向面上の係止孔３４の開口縁に引っ掛かる鉤状部１７ａを先端に有するアーム係止突起１７、鉤状部１７ａが突出する方向の係止孔３４の内側面をアーム係止突起１７の方向へ移動させる三角形状のガイド片１８を備えている。
【００５６】
図１１に示すように、アーム軸支承台２０は、曲面状の正面パネル部１０ａの背面から少し浮き上がった位置に平坦な支持面２１を有している。この支持面２１上にアーム回動軸３２が載置される。そして、この支持面２１が、後述する保持アーム３０が横倒し状態から起き上がる際に略９０度の範囲で回動するアーム回動軸３２を支持する。
【００５７】
また、アーム支承台２０には支持面２１の上下方向の両端それぞれに、この支持面２１に対して直角をなす壁面であるストッパ面２２が形成されている。両ストッパ面２２は互いに対向している。さらに、それぞれのストッパ面２２における正面意匠パネル１０左右方向の端寄りには、ストッパ面２２を貫通するストッパ孔２３が形成されている。詳細は後述するが、支持面２１の両端に位置するストッパ孔２３に、保持アーム３０に接続するアーム回動軸３２の独立した円筒形状を成す上端部と下端部がそれぞれ入り込む。支持面２１の両端にそれぞれ位置するストッパ孔２３は互いに対向し、互いの孔中心を結ぶ線分は、正面意匠パネル１０の上下方向にほぼ平行となる。これにより、アーム回動軸３２は、その軸方向が正面意匠パネル１０の上下方向に沿うように設置される。
【００５８】
また、正面パネル部１０ａの背面上でアーム支承台２０の最も左右方向端寄りには、コ字状のアーム支え壁２４が、室内機本体５０側（正面意匠パネル１０の閉鎖時）の方に向かって立設されている。アーム支え壁２４の中央部には、矩形状に凹んだ係止凹溝２４ａが設けられている。そしてアーム支え壁２４は、コ字状が開口する側の先端面２４ｂが支持面２１側を向いている。アーム支え壁２４は、アーム回動軸３２と側壁１０ｂとの間で、アーム回動軸３２の左右方向における外側寄り（端寄り）側のアーム回動軸３２に隣接した位置に設けられる。
【００５９】
保持アーム３０の長手方向における長さの真ん中から曲面状先端部３０ｄまでの部分を先端寄り領域と呼ぶとすれば、第１載置片１５と第２載置片１６には、保持アーム３０の先端寄り領域が載せられる。両載置片１５、１６はともに、その載置面１５ａ、１６ａに保持アーム３０のパネル対向面が接触し、保持アーム３０の先端寄り領域が正面パネル部１０ａの背面に直接接触することを防止している。そのため、保持アーム３０は正面パネル部１０ａに対して左右方向に傾くことはなく、正面パネル部１０の背面から長手方向に一定の高さ位置で平行を保っている。
【００６０】
第１載置片１５は、正面意匠パネル１０の上下方向に平行に突設されている。そして、保持アーム３０を載置する載置面１５ａの両端（上下端）にそれぞれ接続し、載置面１５ａから離れるほど互いの上下方向の幅が徐々に広がっていくような案内傾斜面１５ｂが両端それぞれに設けられている。同様な構造で、第２載置片１６の載置面１６ａの両端には、案内傾斜面１６ｂが設けられている。
【００６１】
アーム係止突起１７とガイド片１８は、正面意匠パネル１０の上下方向に並んで配置される。アーム係止突起１７もガイド片１８も、正面パネル部１０ａの背面から室内機本体５０側（正面意匠パネル１０の閉鎖時）の方に向かって突設されている。アーム係止突起１７の先端部に形成される鉤状部１７ａは、ガイド片１８が位置する側とは１８０度反対の方向に突出する。
【００６２】
ガイド片１８は、左右方向にから見て三角形状の板状片であり、アーム係止突起１７の鉤状部１７ａの突出する方向と相反する方向を向き傾斜している調整傾斜面１８ａを有している。調整傾斜面１８ａは、ガイド片１８の頂点（先端）から正面パネル部１０ａの背面へ向かうほど、アーム係止突起１７との距離が広がるように傾斜している。
【００６３】
図１１に示す保持アーム３０の支承構造は、室内機１の右側に位置する保持アーム３０を支持する方であるが、室内機１の左側に位置する保持アーム３０を支持する支承構造も、左右方向の向きが１８０度異なるだけで、右側に位置する保持アーム３０の支承構造と同様な構成である。また、これらの支承構造は、樹脂製の正面意匠パネル１０に一体的に成形されている。
【００６４】
図１２は、保持アーム３０が、正面パネル部１０ａの背面に形成された支承構造に支持され横倒しされている状態（横倒し状態）の斜視図である。そして、図１３は、図１２の状態におけるアーム係止突起１７と係止孔３４周辺を示す要部拡大斜視図である。
【００６５】
図１２において、アーム回動軸３２は、アーム軸支承台２０の支持面２１上に載っている。そして、アーム回動軸３２のジョイント片３１との接続部位がなく円筒形状に独立している両端部（上端部と下端部）のそれぞれが、ストッパ孔２３に入り込んでいる。アーム回動軸３２と保持アーム３０とをつなぐジョイント片３１の上端面と下端面のそれぞれが、ジョイント片３１の上下に位置するストッパ面２２と接触することでアーム回動軸３２の軸方向（上下方向）への移動量が制限される。そして、アーム回動軸３２のストッパ孔２３への入り込み長さをその制限された移動量よりも長くしているので、アーム回動軸３２がストッパ孔２３から抜け出てしまうことはない。
【００６６】
図１２に示すような保持アーム３０の横倒し状態においては、図１３に示されるように、第１載置片１５と第２載置片１６のそれぞれに保持アーム３０の先端寄り領域が載せられている。そして、アーム係止突起１７が保持アーム３０の係止孔３４を通り抜け、その先端部に位置する鉤状部１７ａが保持アーム３０の本体対向面上に突き出ている。係止孔３４の本体対向面側の開口縁に鉤状部１７ａが引っ掛かることにより、保持アーム３０の室内機本体５０側への移動量をわずかな量に制限する。これにより、横倒し状態にある保持アーム３０の先端寄り領域の浮き上がりを防止し、また、保持アーム３０がアーム回動軸３２を中心として勝手に回動してしまうことを防止している。すなわち、係止孔３４の開口縁にアーム係止突起１７の鉤状部１７ａが引っ掛かることにより、保持アーム３０の回動が制限され、横倒し状態が維持されることになる。
【００６７】
次に、図７や図８、図１２に示すような、横倒しされて正面意匠パネル１０の背面上に収納されている状態の保持アーム３０を使って、正面意匠パネル１０を所定の大きな開き角度に開いた状態に保持する動作を、ユーザが作業する手順に沿って説明する。正面意匠パネル１０を上方に回動させて開ける作業は、前述したとおりであって、ここでの説明では省略する。
【００６８】
図４に示すような開いた状態の正面意匠パネル１０を片手で支えながら、もう片方の手で、その手と同じ側に配置されている方の保持アーム３０の把手３３を掴み、保持アーム３０を起き上がらせるように力を加える。その際、保持アーム３０の係止孔３４の開口縁が鉤状部１７ａを押し上げようとし、そのときの力により係止アーム突起１７が鉤状部１７ａの突出する方向と反対の方向へ反るように弾性変形し、鉤状部１７ａの引っ掛かりが解除される。解除されるとともに、係止アーム突起１７の弾性変形は解除される。そのまま把手３３を掴んで保持アーム３０を起き上がらせるようにすれば、アーム回動軸３２の上端部と下端部がアーム軸支承台２０のストッパ孔２３により浮き上がりを抑えられているので、保持アーム３０が、アーム回動軸３２を中心として回動して起き上がる。
【００６９】
この際、アーム回動軸３２が、正面意匠パネル１０の上下方向と平行になるようにアーム軸支承台２０に装着されているので、保持アーム３０は、正面意匠パネル１０の左右方向に回動して起き上がることになる。また、保持アーム３０の回動にあたって、アーム回動軸３２と保持アーム３０とをつないでいるジョイント片３１が、アーム軸支承台２０のストッパ面２２に接触することで上下方向への移動が制限されているので、起き上がった保持アーム３０が上下方向に位置ずれしてしまうことはない。なお、以降、このように横倒しされていた保持アーム３０が約９０度回動して起き上がることを、起立すると表現することもある。
【００７０】
図１４は、保持アーム３０が横倒し状態から約９０度回動し、正面パネル部１０に対してほぼ直角に起き上がった状態（以降、この状態を起立状態と呼ぶこともある）の保持アーム３０周りの斜視図である。この図１４では、室内機１の右側に配置される保持アーム３０を示している。そして、図１５は、図１４におけるアーム軸支承台２０近傍を示す拡大斜視図である。
【００７１】
保持アーム３０を約９０度回動させると、保持アーム３０の本体対向面がアーム支え壁２４のコ字状先端面２４ｂにぶつかることでそれ以上の回動が止められ、保持アーム３０が起立状態となる。そして、この保持アーム３０が回動されながら起立状態へと移行する際に、短辺部３０ａ近傍に立設されたアーム突起３５が、アーム軸支承台２０のアーム支え壁２４に形成される係止凹溝２４ａ内に入り込む。
【００７２】
そして、アーム突起３５の先端部に形成された鉤状部３５ａが係止凹溝２４ａの底縁（支持面２１側）に接触するが、そのときのユーザの回動させようとする力に対するアーム支え壁２４からの反力により、アーム突起３５が鉤状部３５ａの突出する方向と反対方向に弾性変形し、それにより、鉤状部３５ａが係止凹溝２４ａの底縁を乗り越え、図１５に示すように入り込んだ側（支持面２１側）の反対側へと突き出る。突き出ると同時に、アーム突起３５の弾性変形は解除される。
【００７３】
図１５に示すような起立状態の保持アーム３０は、アーム突起３５の鉤状部３５ａがアーム支え壁２４の係止凹溝２４ａの底縁（反支持面２１側）に引っ掛かることで、元の横倒し状態に戻る方向へ勝手に回動してしまうことが防止される。言い換えれば、元の横倒しされていた方向への戻り回動が制限される。また、保持アーム３０の本体対向面がアーム支え壁２４のコ字状先端面２４ｂに接触しそれに支えられることで、９０度を越える回動、すなわち起立状態を超える回動が止められる。これにより、保持アーム３０の安定した起立状態が維持される。
【００７４】
なお、この時点で起立状態にさせた保持アーム３０が室内機本体５０と接触しないように、片手で支えている正面意匠パネル１０は、保持アーム３０を用いてその開放状態を保持するときの所定の開き角度よりも少しばかり大きな開き角度の状態で支えておく。ここで開き角度は、図４に示すように、室内機本体５０の上下方向に対して正面意匠パネル１０の上下方向がなす鈍角であり、正面意匠パネル１０の閉鎖状態からの回動角度を示すもので、この開き角度が０度のとき、正面意匠パネル１０が閉じた状態であり、室内機本体５０の上下方向に対して正面意匠パネル１０の上下方向が平行となる。
【００７５】
ユーザは、アーム突起３５の鉤状部３５ａがアーム支え壁２４の係止凹溝２４ａの底縁を乗り越える際のアーム突起３５の弾性変形の解除を、把手３３を介して手応え（カチッという感覚）として感じることができる。この手応えにより、ユーザは保持アーム３０が正常な起立状態になったことを認識することができ、正しく起き上がっていない状態で把手３３から手を離して回動を止めてしまうことを防止できる。
【００７６】
一方の保持アーム３０を安定した正常な起立状態とした後は、把手３３から手を離し、開いた状態の正面意匠パネル１０を支えている手を入れ替え、他方の保持アーム３０を同様に回動させて起立状態にする。図１６は、左右両側にそれぞれに離れて配置された２つの保持アーム３０が約９０度回動して起き上がり、アーム支え壁２４の支えにより９０度を越える回動が、また、アーム突起３５の鉤状部３５ａの引っ掛かりにより、横倒し状態への戻り回動が防止された正常な起立状態にある正面意匠パネル１を背面側から見た斜視図である。そして、図１６の点線矢印は、図７に示される横倒し状態の２つの保持アーム３０を起立状態にするときを表している。
【００７７】
左右２つの保持アーム３０は、それぞれ順番に回動されることになるが、図１６に示すように、右側に位置する保持アーム３０は、正面意匠パネル１０の右方向へ回動して起き上がり、左側に位置する保持アーム３０は、左方向へ回動して起き上がる。このように、正面意匠パネル１０の背面の左右両端近傍それぞれに配置された２つの保持アーム３０は、互いが観音開きするような格好で回動して起立することになる。このため、正面意匠パネル１０背面の左右両側の端部に、起立状態にさせた保持アーム３０を配置することができる。
【００７８】
左右の２つの保持アーム３０を正常な起立状態にさせたならば、開き角度を保持する所定角度よりも少しばかり大きめに開いた位置で支えていた正面意匠パネル１０を下方へと少しばかり回動させて、起立状態にある保持アーム３０の突端となっている曲面状先端部３０ｄをそれぞれ、室内機本体５０の前面枠５１の前面下部に形成されるアーム受け部６０に当接させる。図１７は、室内機１の右側に位置する保持アーム３０が当接するアーム受け部６０を示す斜視図で、図１８は、室内機１の左側に位置する保持アーム３０が当接するアーム受け部６０を示す斜視図である。それぞれのアーム受け部６０の前面枠５１の前面における位置関係は、図２に示すとおりである。
【００７９】
それぞれのアーム受け部６０は、四方を囲う枠体とその枠体内に形成される平坦面により構成される。四方を囲う枠体は、前面枠５１の前面に前方へ凸状に突出させたリブ６０ａと、元より前面枠５１に形成されている壁面や段差を利用して構成される。図１７に示す右側に位置するアーム受け部６０では、下側を除く三方にはリブ６０ａを設け、下側は前面枠５１の段差を用いることで、四方を囲う枠体を形成している。また、図１８に示す左側に位置するアーム受け部６０では、上側と右側にはリブ６０ａを設け、左側は前面枠５１の壁面を、下側は前面枠５１の段差を用いることにより、四方を囲う枠体を形成している。
【００８０】
図１９は、室内機１の右側に位置する保持アーム３０を、図２０は、室内機１の左側に位置する保持アーム３０を、それぞれ起立状態として、対向する室内機本体５０のアーム受け部６０に当接させた状態を示す斜視図である。図示されるように、正しい起立状態にある保持アーム３０は、曲面状先端部３０ｄが前面枠５１のアーム受け部６０の枠内にある平坦面の左右方向ほぼ中央に当接する。これは、正面意匠パネル１０が閉鎖状態にあるときに、アーム回動軸３２がアーム受け部６０の左右方向略中央の前方に位置しているためであり、アーム回動軸３２がそのような位置となるように、アーム軸支承台２０のストッパ孔２３を正面意匠パネル１０の背面に設けているのである。
【００８１】
ユーザが左右２つの保持アーム３０の曲面状先端部３０ｄをそれぞれのアーム受け部６０に当接させることで、左右２つの保持アーム３０が、開いた状態の正面意匠パネル１０を支持し、正面意匠パネル１０がその自重により下方へ回動して閉じてしまうことを回避し、正面意匠パネル１０を開いた状態に保持する。そのときの開き角度が所望する開き角度（所定の開き角度）となるように保持アーム３０の長さが調整されている。保持アーム３０は、正面パネル部１０の背面に対して略直角をなしている。そして、その状態では、右側に位置する保持アーム３０は、把手３３の突出する方向が室内機１の右方向となり（図１９参照）、左側に位置する保持アーム３０は、把手３３の突出する方向が室内機１の左方向となる。
【００８２】
ここで、室内機１の右側に位置する保持アーム３０が、例えば図１６に示されるように、左側に位置する保持アーム３０と比べると、正面意匠パネル１０の側壁１０ｂから左右方向に少し離れて位置しているが、室内機本体５０の右端部には、電気品収納部６が設けられており、この電気品収納部６を避けて前面枠５１の前面にアーム受け部６０を形成しているためである。
【００８３】
保持アーム３０の曲面状先端部３０ｄとアーム受け部６０の平坦面との接触部位（当接部位）には、正面意匠パネル１０の自重が作用し合うため、保持アーム３０の当接位置がずれる恐れはない。仮に万が一にも保持アーム３０の位置がアーム受け部６０上で動いてしまうような事態が生じたとしても、アーム受け部６０のリブ６０ａを含めた四方の枠体がストッパとなって、これらのどこかに接触してずれ移動が止められ、ユーザが意図しない正面意匠パネル１０の閉じ動作の発生は回避される。
【００８４】
ユーザが正面意匠パネル１０の背面の左右両側でそれぞれ横倒しになっていた２つの保持アーム３０を左右方向にそれぞれ略９０度回動させて起立させ、起立状態の突端となる曲面状先端部３０ｄをそれぞれ対応する前面枠５１のアーム受け部６０に当接させることにより、正面意匠パネル１０が、所定の開き角度で開いた状態に保持される。図２１は、保持アーム３０により正面意匠パネル１０が所定の開き角度で開いた状態に保持されているときの室内機１の斜視図であり、図２２は、図２１の状態（正面意匠パネル１０の開放状態の保持形態）にある室内機１の側面図である。
【００８５】
これらに図示されるように、正面意匠パネル１０の背面から室内機本体５０に向かって伸びる起立状態の保持アーム３０が、正面意匠パネル１０と室内機本体５０との間に介在し正面意匠パネル１０を支持することにより、正面意匠パネル１０を大きな開き角度に開いた状態で保持することができる。この室内機１では、正面意匠パネル１０を約６０度の開き角度に開いた状態で保持するようになっており、室内機本体５０の前面を広く室内に露出させることができる。
【００８６】
このように、大きな開き角度で正面意匠パネル１０の開放状態を保持できるのは以下のような理由によるためである。保持アーム３０を回動させる際の回動中心となるアーム回動軸３２を、その軸方向が正面意匠パネル１０の上下方向におおよそ沿わして（略平行となるように）設置し、保持アーム３０を正面意匠パネル１０の長手方向である左右方向に回動させて起立させるようにしたことで、正面意匠パネル１０の閉鎖時では、板状の保持アーム３０の長手方向を、正面視で略矩形状な正面意匠パネル１０の長手方向である左右方向におおよそ沿わせ、保持アーム３０を正面意匠パネル１０の正面パネル部１０ａ背面上に横倒しにして、正面意匠パネル１０の背面と室内機本体５０の前面の間に収納できるようになる。
【００８７】
そして、正面意匠パネル１０は、長手方向である左右方向の幅が上下方向の幅に比べて大きく、その背面には、横倒し状態にある保持アーム３０を長手方向に伸ばせる左右方向のスペースが十分に展開されている。このため、保持アーム３０の長手方向長さを、正面意匠パネル１０を所望する大きな開き角度に開いた状態で保持するために必要な長さまで、十分に長く設定することが可能となるのである。
【００８８】
これにより、この室内機１のように、保持アーム３０が起立した状態において、正面意匠パネル１０の正面パネル部１０ａの背面から保持アーム３０の突端となる曲面状先端部３０ｄまでの保持アーム３０の長手方向に沿った距離である、保持アーム３０の起立高さＨ（図１４参照）を、正面意匠パネル１０の高さ（上下方向幅）と同等以上とすることができる。保持アーム３０の長手方向長さをそのような起立高さＨとなる長さに設定可能となる。
【００８９】
先に先行技術文献として提示した特許文献２や特許文献３で示されるような、一端を軸支し、そこを中心に上下方向に回動するアームにより開放状態の正面意匠パネルを支持する場合では、そのアームを正面意匠パネルの背面に収めるか、閉鎖時に正面意匠パネルで覆って室内に露出しないようにするためには、アームの長手方向（この場合には正面意匠パネルの上下方向になる）の最大長さを正面意匠パネルの高さよりも短くしなければならず、正面意匠パネルの背面からの（特許文献２）、もしくは室内機本体側の前面枠の前面からの（特許文献３）アームの起立高さを、正面意匠パネルの高さと同等以上にすることはできない。しかし、この室内機１では、上記のとおり、正面意匠パネル１０の起立高さＨを、正面意匠パネル１０の高さと同等もしくはそれ以上に設定することが可能となる。このためこの室内機１では、保持アーム３０により、先行技術よりも大きな開き角度で開いた状態に正面意匠パネル１０を保持することができるのである。
【００９０】
図２２に示すように、この室内機１では、正面意匠パネル１０の開放状態を、開き角度が約６０度で保持するように（所定の開き角度を約６０度に）設定しているが、保持アーム３０の長手方向の長さをより長くして、６０度を越える開き角度で保持させることもできる。そのように保持アーム３０を今より長くすることは、正面視矩形状の正面意匠パネル１０は左右方向に長く、横倒し状態にしたときの保持アーム３０が収納できるスペースにまだ十分余裕があるので、問題なくできるのである。
【００９１】
ただし、室内機１は室内の壁面上部に設置されるため、開放状態を保持する際の正面意匠パネル１０の所定の開き角度を、９０度を越えるような角度に設定してしまうと、その所定の開き角度に到達する前の開き角度で、正面意匠パネル１０が天井に接触してそれ以上の上方への回動が制限されてしまう恐れが生じる。そうなると、保持アーム３０を正しい起立状態にさせることができず、正面意匠パネル１０を開いた状態に保持できなくなってしまう。そのため、開放状態を保持するときの正面意匠パネル１０の開き角度（所定の開き角度）は、９０度以下にするのがよい。
【００９２】
また正面意匠パネル１０の閉鎖時には、板状の保持アーム３０を正面意匠パネル１０の左右方向にその長手方向をおおよそ沿わせて、正面意匠パネル１０の背面上に横倒し状態にして収納しておくので、保持アーム３０は、その長手方向長さを長く設定できるだけでなく、長手方向と直交する短手方向（長手方向と板厚方向のそれぞれに直交する方向）、すなわち横倒し状態にあるときの保持アーム３０の上下方向の長さ（最大値）も長くすることができる。
【００９３】
先に先行技術文献として提示した特許文献２では、閉鎖時には正面意匠パネルの側壁に沿わせて板状のアームを収納するので、短手方向の長さは側壁の奥行き幅よりも小さくしなければならない。一方、特許文献３では、板状のアームの短手方向が室内機本体の左右方向となるので、その短手方向を長くすると、その収納場所を確保するために、室内機本体を左右方向に長くしなければならなくなってしまう。しかしこの室内機１では、保持アーム３０の上下にも収納できるスペースが展開されているので、この短手方向を、正面意匠パネル１０の高さに収まる範囲で長く設定することができる。
【００９４】
このため、保持アーム３０に対して、その長手方向の長さを長くするとともに、短手方向の長さ（最大値）も、例えば側壁１０ｂの前後方向の長さ（奥行き幅）よりも長くすることによって、板状の保持アーム３０の剛性を十分に高めることができる。これにより、開放状態の正面意匠パネル１０を支えるために必要な強度を十二分に有する保持アーム３０とすることができ、大きな開き角度（所定の開き角度）に開いた状態の正面意匠パネル１０を、この保持アーム３０により、安定して保持することができる。
【００９５】
また、上下方向に沿って曲面形状を成す正面パネル部１０ａの背面上の空間を利用して、横倒し状態の保持アーム３０を収納しているので、板状の保持アーム３０の板厚も、正面意匠パネル１０の閉鎖時に室内機本体５０と接触しない範囲で厚くしたり、本体対向面上もしくは先端寄り領域を除いたパネル対向面上に強度補強用のリブを凸状に形成したりして、保持アーム３０の剛性を高めることができる。これによっても、大きな開き角度に開いた正面意匠パネル１０を、保持アーム３０により安定して保持することができる。
【００９６】
また、ユーザが保持アーム３０を起立させるときに、本体対向面上に突出する把手３３を掴んで回動させるので、回動させる力を保持アーム３０に作用させ易く、作業性がよい。そして、その際に室内機１の右側に配置されている保持アーム３０の把手３３を右手で掴んで右方向に約９０度回動させ、また左側に配置されている保持アーム３０は左手でその把手３３を掴んで左方向へ回動させるので、室内機１の前方斜め下に立って作業するユーザの動作として、把手３３を掴んで自分に近づく方へ、もしくは自分から遠ざける方へ上下方向に回動させてることに比べれば、手首などの身体への負担が少ないやり易いスムーズな動作で保持アーム３０を起立させることができ、操作性にも優れるものとなる。
【００９７】
また、保持アーム３０を起立させるときに、保持アーム３０の戻り回動を防止するアーム突起３５先端部の鉤状部３５ａが、アーム軸支承台２０に立設するアーム支え壁２２の係止凹溝２２ａの底縁を乗り越えた際のアーム突起３５の弾性変形の解除を、把手３３を介して手応えとして感じることができるので、ユーザはこの手応え（カチッという感覚）を感じることで、保持アーム３０が正しい（正常な）起立状態になったこと、すなわちこの作業が正しく遂行されたことを認識することができる。
【００９８】
このため、正しく起立していないのに、保持アーム３０を室内機本体５０に当接させてしまい、正面意匠パネル１０の自重により保持アーム３０が元の横倒し状態の方向へ戻り回動してしまうといった事態の発生を防止できるとともに、ユーザは安心感を持って作業を終了させることができ、作業の信頼性も高まる。なお、万が一上記のような事態になったとしても、アーム受け部６０の四方の枠体のうち左右方向中心寄りに位置する枠体（左右両側ともにリブ６０ａが担当）に保持アーム３０のパネル対向面の先端部が接触し、戻り回動はそこで停止させられるので、正面意匠パネル１０が閉じてしまうことはない。
【００９９】
上記のような手順で図２１や図２２に示すように、左右方向に回動させて起立状態にした保持アーム３０により、正面意匠パネル１０を大きな開き角度で開いた状態に安定的に保持させることで、室内機本体５０の前面を広く室内に露出できる。このよう状態にしておくことで、ユーザは、広く露出された室内機本体５０前面を直接目視しながら、例えばフィルター５を清掃するためにフィルター５を着脱したり、室内機本体５０の前面を拭き清掃したり、または内部を目視点検するなどの室内機本体５０のメンテナンス作業を容易に行うことができ、メンテナンス作業の作業性に優れたものとなる。
【０１００】
続いて、ユーザがメンテナンス作業を終え、保持アーム３０による正面意匠パネル１０の開放状態の保持を解除して、再び通常状態である正面意匠パネル１０を閉じた状態に戻す作業について説明する。
【０１０１】
まずは、開放状態に保持されている正面意匠パネル１０を少しばかり上方へと回動させ、２つの保持アーム３０の曲面状先端部３０ｂをそれぞれ対応するアーム受け部６０から離して浮かせた状態にする。その状態の正面意匠パネル１０を片手で支えながら、もう片方の手で、その手と同じ側で起立している方の保持アーム３０の把手３３を掴み、横倒しさせるように力を加える。その際、その力によりアーム突起３５が弾性変形して、アーム支え壁２４の係止凹溝２４ａの底縁（反支持面２１側）に引っ掛かっていたアーム突起３５の鉤状部３５ａが、係止凹溝２４ａの底縁を乗り越えて支持面２１側へと移動し、鉤状部３５ａの引っ掛かりが解除される。
【０１０２】
そのまま横倒しさせるように力を加えて、アーム回動軸３２を回動中心として、保持アーム３０を寝かせる方向へと回動させる。そうすると、保持アーム３０の長辺部３０ｂまたは斜辺部３０ｃのどちらかが、第１載置片１５の案内傾斜面１５ａもしくは第２載置片１６の案内傾斜面１６ａのいずれかまたは両方に接触し、その案内傾斜面に沿って移動して保持アーム３０の正面意匠パネル１０に上下方向に対する位置が修正される。正面意匠パネル１０の閉鎖時に上側に位置する案内傾斜面に斜辺部３０ｃが接しながら移動すれば、位置を下方へ、逆に長辺部３０ｂが下側に位置する案内傾斜面に接しながら移動すれば、上方へと位置が調整される。
【０１０３】
案内傾斜面に接触しながら移動しているときに、保持アーム３０の係止孔３４の開口縁（パネル対向面側）が、アーム係止突起１７の鉤状部１７ａ上面に接触する。正面意匠パネル１０が閉鎖状態（図３に示す状態）のときに上側に位置する係止孔３４の開口縁がアーム係止突起１７にぶつかる。
【０１０４】
そのまま把手３３を介して横倒しさせる方向に保持アーム３０を回動させれば、係止孔３４の上側開口縁に押されるアーム係止突起１７が、下側の開口縁の方向に、言い換えれば、鉤状部１７ａが突出する方向とは反対の方向に反るように弾性変形して、係止孔３４の上側開口縁が鉤状部１７ａを乗り越えて、鉤状部１７ａが本体対向面側へと飛び出す。飛び出すとともに、アーム係止突起１７の弾性変形は解除される。
【０１０５】
そしてそれと並行して、係止孔３４の下側内側面が、ガイド片１８の調整傾斜面１８ａと接し、接しながら横倒し方向へと移動する。正面パネル部１０ａの背面に向けて末広がりとなる三角形状のガイド片１８の反アーム係止突起１７側の傾斜面である調整傾斜面１８ａに沿って、保持アーム３０が正面パネル部１０ａの背面に向かって移動することにより、閉鎖時の正面意匠パネル１０の下側に向かって保持アーム３０の位置が調整され、係止孔３４の上側の内側面が、アーム係止突起１７に接するようになる。第１載置片１５の案内傾斜面１５ａもしくは第２載置片１６の案内傾斜面１６ａとにより、横倒し状態へと回動される保持アーム３０の大まかな上下方向の位置調整がなされ、ガイド片１８の調整傾斜面１８ａにより、上下方向の位置の微調整が行われる。
【０１０６】
このため、係止孔３４を通り抜けたアーム係止突起１７の鉤状部１７ａが、保持アーム３０の本体対向面上に確実に突き出て、係止孔３４の上側開口縁の本体対向面側にしっかりと引っ掛かるようになる（図１３参照）。係止孔３４の開口縁がアーム係止突起１７の鉤状部１７ａを乗り越えて、鉤状部１７ａが保持アーム３４の本体対向面上に突出した時点で、その保持アーム３０を横倒しさせる作業が終了する。このときには、正面意匠パネル１０は開いているので、保持アーム３０は本体対向面がおおよそ下方を向いており、鉤状部１７ａと保持アーム３０の係止孔３４の開口縁（本体対向面側）が接している。
【０１０７】
保持アーム３０は、アーム係止突起１７の鉤状部１７ａに引っ掛かることにより、アーム回動軸３２を中心に勝手に回動してしまうことはなく、横倒し状態へと移行したことになる。一方の保持アーム３０を横倒し状態にさせた後は、把手３３から手を離し、開いたままの正面意匠パネル１０を支えている手を入れ替え、他方の保持アーム３０を同様に回動させて横倒し状態にして、図７に示すような状態とする。
【０１０８】
ユーザは、回動させている保持アーム３０の係止孔３４の開口縁が、アーム係止突起１７の鉤状部１７ａを乗り越える際のアーム係止突起１７の弾性変形の解除を、把手３３を介して手応え（カチッという感覚）として感じることができる。この手応えを感じることにより、ユーザは、保持アーム３０を横倒し状態にする作業が正しく終了したことを認識できるので、安心感を持って作業を終了することができる。また、きちんと横倒し状態になっておらず、保持アーム３０がアーム係止突起１７による回動阻止作用を受けずに勝手に回動してしまうことを防止できる。また、保持アーム３０が正面意匠パネル１０背面と室内機本体５０の間の収納空間でがたつくことも防止できる。
【０１０９】
また、保持アーム３０に対して、回動時にユーザが掴む把手３３の下方に、アーム係止突起１７の鉤状部１７ａが引っ掛かる開口縁を有した係止孔３４を設けている、言い換えれば、係止孔３４を跨ぐように把手３３を架けているので、ユーザが保持アーム３０を回動させようとする力を付与する把手３３と、その力が作用するアーム係止突起１７の鉤状部１７ａとの距離が近いので、保持アーム３０に作用する両者間のモーメントを小さく抑えることができ、ユーザは円滑に、アーム係止突起１７の鉤状部１７ａを係止孔３４の開口縁に乗り越えさせることができ、作業性に優れたものとなる。これは、保持アーム３０を起立状態にさせるときにも同じことが言える。
【０１１０】
また、把手３３を係止孔３４の対向する内側面間を架けように設けると、保持アーム３０の板状片と把手３３の板状片とが重ならずに済むので、樹脂製の保持アーム３０を成形する際の型構造を簡素にすることができるという利点もある。
【０１１１】
２つの保持アーム３０を横倒し状態にしたら、ユーザは正面意匠パネル１０を下方に回動させて閉じる。正面意匠パネル１０を閉鎖状態にする作業は、前述したとおりであってここでは省略する。これにより、再び図３に示すように、正面意匠パネル１０が閉じて、正面意匠パネル１０の背面上に横倒しされた保持アーム３０が収まった状態に戻る。このとき、保持アーム３０の先端寄り領域のパネル対向面が、第１載置片１５の載置面１５ａと第２載置片１６の載置面１６ａに接する。アーム回動軸３２がアーム支承台２０の支持面２１に載置され、保持アーム３０の先端寄り領域が第１載置片１５と第２載置片１６に載置されることで、保持アーム３０は、正面パネル部１０ａの左右方向に対して傾斜することなく、一定の高さの位置で長手方向にほぼ平行を保つ。
【０１１２】
この室内機１では、正面意匠パネル１０背面の左右両側の端部に１つずつ計２つの保持アーム３０を設けたが、左右方向に短く軽量な正面意匠パネルであれば、どちらか１つだけとして、１つの保持アームでその正面意匠パネルの開放状態を保持させるようにしてもよい。
【０１１３】
また、この室内機１では、保持アーム３０の未使用時、少なくとも正面意匠パネル１０が閉じているときには、保持アーム３０の長手方向を、正面視で略矩形状を成す正面意匠パネル１０の長手方向である左右方向に沿わせて横倒しさせているが、保持アーム３０の正面意匠パネル１０に対する上下方向の取り付け位置や室内機本体５０のアーム受け部６０の上下方向の位置との関係で、保持アーム３０の長手方向を正面意匠パネル１０の左右方向に対して、例えば上下にそれぞれ少なくとも３０度ずつ程度までであれば、傾斜させても、保持アーム３０を十分に長く設定でき、正面意匠パネル１０を大きな開き角度で開いた状態に保持できる効果が得られる。保持アーム３０の長手方向を正面意匠パネル１０の長手方向である左右方向におおよそ沿わせるということには、この範囲の傾斜を含めている。
【０１１４】
また、この室内機１では、アーム回動軸３２の軸方向を正面意匠パネル１０の上下方向に沿わせて設置し、そのアーム回動軸３２を回動中心として、保持アーム３０を正面意匠パネル１０の長手方向である左右方向に回動させるようにしているが、保持アーム３０の正面意匠パネル１０に対する上下方向の取り付け位置や室内機本体５０のアーム受け部６０の上下方向の位置との関係で、アーム回動軸３２の軸方向を正面意匠パネル１０の上下方向に対して、例えば左右にそれぞれ少なくとも３０度ずつ程度までであれば、傾けて、保持アーム３０を正面意匠パネル１０の左右方向に対して傾いた状態で回動させるようにしても、保持アーム３０を十分に長く設定でき、正面意匠パネル１０を大きな開き角度で開いた状態に保持できる効果が得られる。アーム回動軸３２を正面意匠パネル１０の上下方向におおよそ沿わせるということには、この範囲の傾きを含めている。
【０１１５】
正面意匠パネル１０は、樹脂成形が一般的であるが、意匠的な高級感を持たせるために、例えば回動軸１２やパネル係止突起１３を背面に一体成形した樹脂製パネルの前面に金属製パネルを装着し、その金属製パネルを室内に臨ませるようにしたものがある。このように構成した正面意匠パネルは、金属製パネルを有しているため、その重量は、樹脂のみで構成された正面意匠パネルの重量に比べると、随分と大きいものとなる。この実施の形態で示した保持アーム３０は、前述のとおり、横倒し状態での収納スペースを大きく取れる利点に起因して剛性を高めることができるので、このような重量の大きさが顕著な正面意匠パネルであっても、その開放状態を安定して保持することができ、より一層、保持アーム３０の効果が発揮される。
【０１１６】
なお、正面意匠パネル１０は、室内機本体５０に対して着脱可能なものであっても、そうでなくても、どちらであってもこの効果を奏することができる。
【符号の説明】
【０１１７】
１  室内機、２  貫流ファン、３  熱交換器、４  風向調整板、５  フィルター、６  電気品収納部、１０  正面意匠パネル、１０ａ  正面パネル部、１０ｂ  側壁、１１  軸アーム、１２  パネル回動軸、１３  パネル係止突起、１３ａ  菱形形状先端部、１４  ガイド突起、１５  第１載置片、１５ａ  載置面、１５ｂ  案内傾斜面、１６  第２載置片、１６ａ  載置面、１６ｂ  案内傾斜面、１７  アーム係止突起、１７ａ  鉤状部、１８  ガイド片、１８ａ  調整傾斜面、２０  アーム軸支承台、２１  支持面、２２  ストッパ面、２３  ストッパ孔、２４  アーム支え壁、２４ａ  係止凹溝、３０  保持アーム、３０ａ  短辺部、３０ｂ  長辺部、３０ｃ  斜辺部、３０ｄ  曲面状先端部  ３１  ジョイント片、３２  アーム回動軸、３３  把手、３４  係止孔、３５  アーム突起、３５ａ  鉤状部、５０  室内機本体、５１  前面枠、５２  背面ケース、５３  吹出口、５４  吸込口、５５  開口、５６  メイン縦桟、５７  軸受部、５８  係止ツメ、５９  ガイド溝、６０  アーム受け部。
【図１】
0005527242.tif 000002
【図２】
0005527242.tif 000003
【図３】
0005527242.tif 000004
【図４】
0005527242.tif 000005
【図５】
0005527242.tif 000006
【図６】
0005527242.tif 000007
【図７】
0005527242.tif 000008
【図８】
0005527242.tif 000009
【図９】
0005527242.tif 000010
【図１０】
0005527242.tif 000011
【図１１】
0005527242.tif 000012
【図１２】
0005527242.tif 000013
【図１３】
0005527242.tif 000014
【図１４】
0005527242.tif 000015
【図１５】
0005527242.tif 000016
【図１６】
0005527242.tif 000017
【図１７】
0005527242.tif 000018
【図１８】
0005527242.tif 000019
【図１９】
0005527242.tif 000020
【図２０】
0005527242.tif 000021
【図２１】
0005527242.tif 000022
【図２２】
0005527242.tif 000023